(57)【特許請求の範囲】
【請求項１】
外装を構成する筐体と、
前記筐体に設けられた撮影レンズと、
前記撮影レンズを覆う閉塞位置と前記撮影レンズを露出させる開放位置との間で移動されるバリアと、
前記筐体に第１の位置と第２の位置との間で移動可能に設けられたバリア開閉用部材と、
前記バリアと前記バリア開閉用部材とを連結し、前記バリア開閉用部材の前記第１の位置で前記バリアを前記閉塞位置とし、前記第２の位置で前記バリアを前記開放位置とする連動機構とを備え、
前記バリアは、前記筐体と前記バリア開閉用部材との間に設けられ、前記開放位置で前記第２の位置に位置する前記バリア開閉用部材で覆われ、
前記バリアは、前記閉塞位置と前記開放位置との間で移動可能に前記筐体で支持され、
前記バリア開閉用部材は、前記第１の位置と前記第２の位置との間で移動可能に前記筐体で支持され、
前記連動機構は、筐体で支持された箇所と支点として揺動可能なアームを含んで構成され、
前記アームに前記バリアおよび前記バリア開閉用部材とが連結され、
前記アームと前記バリアとの連結箇所は、前記アームと前記バリア開閉用部材との連結箇所よりも前記支点から離れた箇所に位置し、前記バリア開閉用部材の移動により前記アームを介して前記第１の位置と前記第２の位置との間隔よりも大きな間隔で前記バリアが前記閉塞位置と前記開放位置との間で移動され、
２つのトグルばねのうちの一方のトグルばねが前記連動機構のフレームと前記バリア開閉用部材の後面との間に設けられると共に、他方のトグルばねが前記連動機構のアームと前記フレームとの間に設けられている
ことを特徴とする撮像装置。
【請求項２】
前記筐体は、前後方向の厚さが薄い扁平な板状を呈し、
前記撮影レンズは前記前面の上部に設けられ、
前記バリア開閉用部材および前記バリアは、共に扁平な板状を呈し、前記筐体の前面に設けられ、
前記バリア開閉用部材が前記第１の位置に位置し、前記バリアが前記閉塞位置に位置した状態で、前記バリアは前記バリア開閉用部材の上方に露出する
ことを特徴とする請求項１記載の撮像装置。
【請求項３】
前記バリア開閉用部材および前記バリアは、前記筐体の前面の左右方向の全長にわたる幅と、前記前面の上下の高さよりも小さい高さとを有して共に左右に細長い細長形状を呈し、
前記第１の位置は、前記バリア開閉用部材が前記前面の高さの中央に位置した箇所である
ことを特徴とする請求項２記載の撮像装置。
【請求項４】
前記バリア開閉用部材および前記バリアは、前記筐体の前面の左右方向の全長にわたる幅と、前記前面の上下の高さよりも小さい高さとを有して共に左右に細長い細長形状を呈し、
前記第１の位置は、前記バリア開閉用部材が前記前面の高さの中央に位置した箇所であり、
前記バリア開閉用部材が前記第１の位置に位置し、前記バリアが前記閉塞位置に位置した状態で、前記撮像装置の前面は、前記バリアと、前記バリア開閉用部材と、前記バリア開閉用部材の下方に露出する前記筐体の前面部分とで構成され、
前記バリア開閉用部材が前記第２の位置に位置し、前記バリアが前記開放位置に位置した状態で、前記撮像装置の前面は、前記バリア開閉用部材と、前記バリア開閉用部材の上方と下方に露出する前記筐体の前面部分とで構成される
ことを特徴とする請求項２記載の撮像装置。
【発明の詳細な説明】
【技術分野】
【０００１】
本発明は撮像装置に関する。
【背景技術】
【０００２】
デジタルスチルカメラなどの撮像装置として、該撮影装置の撮影レンズを保護するために、撮影レンズを開閉するバリア（レンズカバー）を備えたものがある。
このような撮像装置の具体的構成として、撮像装置の外装を構成する筐体の前面に撮影レンズが設けられ、板状のバリアを前面に沿って上下にスライド移動させることで、バリアを、撮影レンズを覆う閉塞位置と撮影レンズを露出する開放位置との間で移動可能としたものが提供されている（特許文献１参照）。
【特許文献１】特開２００７−１０８３３８
【発明の開示】
【発明が解決しようとする課題】
【０００３】
しかしながら、上述の撮像装置では、１枚のバリアを筐体の前面に沿って上下にスライド移動させることから、バリアを閉塞位置あるいは開放位置に動かした際に、レンズバリアが筐体の前面の輪郭に対して上方あるいは下方に偏った箇所に位置することになり、デザイン性の自由度を確保する上で不利があった。
本発明は、このような事情に鑑みなされたものであり、デザイン性の自由度を確保する上で有利な撮像装置を提供することにある。
【課題を解決するための手段】
【０００４】
上述の目的を達成するため、本発明の撮像装置は、外装を構成する筐体と、前記筐体に設けられた撮影レンズと、前記撮影レンズを覆う閉塞位置と前記撮影レンズを露出させる開放位置との間で移動されるバリアと、前記筐体に第１の位置と第２の位置との間で移動可能に設けられたバリア開閉用部材と、前記バリアと前記バリア開閉用部材とを連結し、前記バリア開閉用部材の前記第１の位置で前記バリアを前記閉塞位置とし、前記第２の位置で前記バリアを前記開放位置とする連動機構とを備え、前記バリアは、前記筐体と前記バリア開閉用部材との間に設けられ、前記開放位置で前記第２の位置に位置する前記バリア開閉用部材で覆われ、前記バリアは、前記閉塞位置と前記開放位置との間で移動可能に前記筐体で支持され、前記バリア開閉用部材は、前記第１の位置と前記第２の位置との間で移動可能に前記筐体で支持され、前記連動機構は、筐体で支持された箇所と支点として揺動可能なアームを含んで構成され、前記アームに前記バリアおよび前記バリア開閉用部材とが連結され、前記アームと前記バリアとの連結箇所は、前記アームと前記バリア開閉用部材との連結箇所よりも前記支点から離れた箇所に位置し、前記バリア開閉用部材の移動により前記アームを介して前記第１の位置と前記第２の位置との間隔よりも大きな間隔で前記バリアが前記閉塞位置と前記開放位置との間で移動され、２つのトグルばねのうちの一方のトグルばねが前記連動機構のフレームと前記バリア開閉用部材の後面との間に設けられると共に、他方のトグルばねが前記連動機構のアームと前記フレームとの間に設けられていることを特徴とする。
【発明の効果】
【０００５】
本発明によれば、バリアとバリア開閉用部材とを連動機構を用いて連結することにより、バリア開閉用部材の第１の位置でバリアを撮影レンズを覆う閉塞位置とし、第２の位置でバリアを撮影レンズを露出させる開放位置とし、開放位置のバリアを第２の位置に位置するバリア開閉用部材で覆うようにしたので、バリアおよびバリア開閉用部材の２つの部品を筐体に対してレイアウトすることができるため、撮像装置のデザイン性の自由度を確保する上で有利となる。また、２つのトグルばねのうちの一方のトグルばねが連動機構のフレームとバリア開閉用部材の後面との間に設けられているので、バリア開閉用部材が第１の位置および第２の位置において安定した状態を保てると共にバリア開閉用部材のがたつきを防止できる。そして、さらに、２つのトグルばねのうちの他方のトグルばねが連動機構のアームと連動機構のフレームとの間に設けられているので、バリアが閉塞位置および開放位置において安定した状態を保てると共にバリアのがたつきを防止できる。
【発明を実施するための最良の形態】
【０００６】
次に本発明の実施の形態について図面を参照して説明する。
図１は本実施の形態の撮像装置１０のバリア４０が閉塞位置Ｐ１にある状態を示す斜視図、図２は撮像装置１０のバリア４０が開放位置Ｐ２にある状態を示す斜視図、図３は撮像装置１０を後方から見た斜視図、図４は撮像装置１０のバリア４０が閉塞位置Ｐ１にある状態を示す正面図、図５は撮像装置１０のバリア４０が開放位置Ｐ２にある状態を示す正面図、図６は撮像装置１０のバリア４０が閉塞位置Ｐ１と開放位置Ｐ２との中間位置にある状態を示す正面図、図７は撮像装置１０の構成を示すブロック図である。
【０００７】
図１乃至図３に示すように、本実施の形態の撮像装置１０はデジタルスチルカメラである。
撮像装置１０は、外装を構成する筐体１２を有している。なお、本明細書において前方とは被写体側をいい、後方とは結像側をいい、撮像装置１０の左右は前方から見た状態でいうものとする。
筐体１２は、図１乃至図３に示すように、前後方向の厚さと、厚さよりも大きい寸法の上下方向の高さと、高さよりも大きい寸法の左右方向の幅を有し、扁平な薄い矩形板状に形成されている。
筐体１２は前方に臨む前面１４と、後方に臨む後面１６と、上方に臨む上面１８と、下方に臨む下面２０と、左右に臨む左右の側面２２、２４とを有している。
前面１４には、バリア４０と、バリア開閉用部材４２とが設けられている。
図２に示すように、筐体１２の右側部には、撮像光学系２６を収容するレンズ鏡筒２８が上下方向に延在して設けられ、撮像光学系２６の最も前方に撮影レンズ２６Ａ（対物レンズ）が位置している。
本実施の形態において撮像光学系２６は、図７に示すように、ズーム率が可変のズーム機構（ズーム光学系）９０を含んで構成され、ズーム機構９０は、該ズーム機構９０をズーム動作させる回転モータやリニアモータなどのアクチュエータ９２を含んで構成され、このアクチュエータ９２はズームレバー７０によって動作される。
筐体１２の前面１４上部の右側部寄りの箇所には開口が設けられ、撮像光学系２６の最も前部に配置される撮影レンズ２６Ａが前記開口を介して前方に臨んで設けられ、したがって、撮影レンズ２６Ａは前面１４の上部に設けられている。
なお、撮像光学系２６は、撮影レンズ２６Ａに加えて、何れも図示しないが、撮影レンズ２６Ａの後方に位置し光路を９０度下方に屈曲させるプリズム、該プリズムの下方に前記光路に沿って配置された複数のレンズ、光路上に配置された絞り機構などを含んで構成されている。
前面１４の撮影レンズ２６Ａの左側部には、焦点距離測定用の照明光などを照射する発光部２８Ａ、照明補助光（閃光）を発光するフラッシュ部２８Ｂなどが設けられている。
筐体１２の上面１８には、電源スイッチ３０Ａ、シャッタボタン（レリーズボタン）３０Ｂが設けられている。
ズームレバー７０は、上面１８および側面２２が交差する角部７６に配設され、シャッタボタン３０Ｂとズームレバー７０は近接している。ズームレバー７０によって操作レバーが構成されている。
図３に示すように、後面１６のほぼ全面に、撮像した映像（画像データ）を表示すると共に、撮影や再生にまつわる種々の設定操作などを行うための操作画面あるいはメニュー画面などを表示するディスプレイ３２が設けられている。ディスプレイ３２によって表示部が構成されている。
本実施の形態では、ディスプレイ３２は、その表面（表示面）に指先で触れることで操作入力を行うタッチパネル３４が設けられており、該タッチパネル３４を操作することにより、撮影モード、再生モードの切替など種々の操作、撮像光学系２６のズーム率を望遠側（テレ側）あるいは広角側（ワイド側）に調整する操作などが行えるように構成されている。
【０００８】
図７に示すように、撮像装置１０は、撮像素子３６Ａと、画像処理部３６Ｂと、表示処理部３６Ｃと、操作部３６Ｄと、制御部３６Ｅなどを備えている。
撮像素子３６Ａは、撮影光学系２６によって結像された被写体像を撮像するものであり、ＣＣＤやＣＭＯＳセンサなど従来公知のさまざまな撮像素子が採用可能である。
画像処理部３６Ｂは、撮像素子３６Ａから出力された撮像信号に基づいて画像データを生成し、メモリカードなどの記録媒体２に記録するものである。
表示処理部３６Ｃは、前記画像データをディスプレイ３２に表示させ、また、前記操作画面あるいはメニュー画面などをディスプレイ３２に表示させるものである。
操作部３６Ｄは、電源スイッチ３０Ａ、シャッタボタン３０Ｂ、タッチパネル３４などを含んで構成されるものである。
制御部３６Ｅは、操作部３６Ｄの操作に応じて画像処理部３６Ｂ、表示処理部３６Ｃを制御するものであり、ＣＰＵなどを含んで構成されている。
【０００９】
次に本発明の要旨であるバリア４０の詳細について説明する。
図８、図９はバリア４０、バリア開閉用部材４２、移動機構４４の構成を示す分解斜視図である。
図１０はバリア４０が閉塞位置に位置した状態を後方から見た連動機構４４を示す後面図、図１１はバリア４０が閉塞位置に位置した状態を後方から見たバリア４０、バリア開閉用部材４２、連動機構４４の位置関係を示す後面図である。
図１２はバリア４０が閉塞位置と開放位置との中間位置に位置した状態を後方から見た連動機構４４を示す後面図、図１３はバリア４０が閉塞位置と開放位置との中間位置に位置した状態を後方から見たバリア４０、バリア開閉用部材４２、連動機構４４の位置関係を示す後面図である。
図１４はバリア４０が開放位置に位置した状態を後方から見た連動機構４４を示す後面図、図１５はバリア４０が開放位置に位置した状態を後方から見たバリア４０、バリア開閉用部材４２、連動機構４４の位置関係を示す後面図である。
図１６はアーム５８の平面図である。
撮像装置１０には、撮影レンズ２６Ａを開閉するバリア４０と、バリア４０を移動させるためのバリア開閉用部材４２および連動機構４４とが設けられている。
【００１０】
バリア開閉用部材４２は、筐体１２に第１の位置（図１）と第２の位置（図２）との間で移動可能に設けられている。
バリア開閉用部材４２は、扁平な板状を呈し、筐体１２の前面１４に設けられている。
バリア開閉用部材４２は、筐体１２の前面１４の左右方向の全長にわたる幅と、前面１４の上下の高さよりも小さい高さとを有して左右に細長い細長形状を呈している。
【００１１】
バリア開閉用部材４２は次のように組み付けられている。
図９に示すように、バリア開閉用部材４２の後面に、第１ボス部４２０２を介して第１ガイド片４６が取着され、また、２つの第２ボス部４２０４を介して第２ガイド片４８が取着されている。
一方、筐体１２の前面１４を構成する前面板５０の後面に、板金製の板状のフレーム５２が取着されている。
第１ガイド片４６は、前面板５０の開口５００２内に位置し、図１０に示すように、開口５００２の縁である前面板５０の後面箇所に上下に摺動可能に配設されている。
図９に示すように、２つのボス部４００４は、前面板５０の開口５００４、５００６およびフレーム５２の開口５００２に挿通され、第２ガイド片４８が２つのボス部４００４に取着されることにより、第２ガイド片４８はフレーム５２の後面に配置されている。
そして、第２ガイド片４８のガイド部４８０２が、フレーム５２の開口５２０２を通り、図１０に示すように、前面板５０の後面部分に上下に摺動可能に配設されている。
これら第１ガイド片４６および第２ガイド片４８によりバリア開閉用部材４２は、筐体１２の前面１４から前方へ外れないように構成されている。
【００１２】
また、図８に示すように、第２ガイド片４８の互いに間隔をおいた箇所からそれぞれガイド軸４８１０、４８１２が突設されており、それらガイド軸４８１０、４８１２はフレーム５２の２つの長孔５２１０、５２１２にそれぞれ移動可能に挿通されている。２つの長孔５２１０、５２１２は、左右方向および上下方向において異なった箇所でそれぞれ上下に延在しており、バリア開閉用部材４２が回転することなく円滑に上下移動するように図られている。
ガイド軸４８１０、４８１２が長孔５２１０、５２１２の上端に係合することでバリア開閉用部材４２の第１の位置（図４）が決定され、ガイド軸４８１０、４８１２が長孔５２１０、５２１２の下端に係合することでバリア開閉用部材４２の第２の位置（図５）が決定される。したがってバリア開閉用部材４２は第１の位置と第２位置との間で移動可能にフレーム５２を介して筐体１２で支持されている。
本実施の形態では、第１の位置は、バリア開閉用部材４２が前面１４の高さの中央に位置した箇所である。
【００１３】
バリア４０は、扁平な板状を呈し筐体１２の前面１４とバリア開閉用部材４２との間に配設されている。
バリア４０は、撮影レンズ２６Ａを覆う閉塞位置（図４）と撮影レンズ２６Ａを露出させる開放位置（図５）との間でバリア開閉用部材４２を介して連動機構４４により移動される。
バリア４０は、筐体１２の前面１４の左右方向の全長にわたる幅と、前面１４の上下の高さよりも小さい高さとを有して共に左右に細長い細長形状を呈している。
バリア４０は、開放位置で第２の位置に位置するバリア開閉用部材４２で覆われ、バリア４０は、閉塞位置で第１の位置に位置するバリア開閉用部材４２の上方に露出し撮影レンズ２６Ａを覆う。
また、バリア開閉用部材４２が第１の位置に位置し、バリア４０が閉塞位置に位置した状態で、撮像装置１０の前面は、バリア４０と、バリア開閉用部材４２と、バリア開閉用部材４２の下方に露出する筐体１２の前面１４部分とで構成される。
また、バリア開閉用部材４２が第２の位置に位置し、バリア４０が開放位置に位置した状態で、撮像装置１０の前面は、バリア開閉用部材４２と、バリア開閉用部材４２の上方と下方に露出する筐体１２の前面１４部分とで構成される。
【００１４】
バリア４０は次のように組み付けられている。
図９に示すように、バリア４０の後面の幅方向の一方の端部に、第１ボス部４００２を介して第１ガイド片５４が取着され、また、バリア４０の後面の幅方向の他方の端部寄りの箇所に、第２ボス部４００４を介して第２ガイド片５６が取着されている。
第１ガイド片５４は、前面板５０の開口５００２内に位置し、図１０にも示すように、開口５００２の縁である前面板５０の後面箇所に上下に摺動可能に配設されている。
第２ガイド片５６は、前面板５０の開口５００６内に位置し、図１０にも示すように、開口５００６の縁である前面板５０の後面箇所に上下に摺動可能に配設されている。
これら第１ガイド片５４および第２ガイド片５６によりバリア４０は、筐体１２の前面１４から前方へ外れないように構成されている。
【００１５】
また、図９に示すように、バリア４０の後面の互いに間隔をおいた箇所からそれぞれガイド軸４０１０、４０１２が突設されており、それらガイド軸４０１０、４０１２は前面板５０の開口５００４を通りフレーム５２の２つの長孔５２２０、５２２２にそれぞれ移動可能に挿通されている。２つの長孔５２２０、５２２２は、左右方向および上下方向において異なった箇所でそれぞれ上下に延在しており、バリア４０が回転することなく円滑に上下移動するように図られている。
ガイド軸４０１０、４０１２が長孔５２２０、５２２２の上端に係合することでバリア４０の閉塞位置（図４）が決定され、ガイド軸４０１０、４０１２が長孔５２２０、５２２２の下端に係合することでバリア４０の開放位置（図５）が決定される。
したがって、バリア４０は、閉塞位置と開放位置との間で移動可能にフレーム５２を介して筐体１２で支持されている。
【００１６】
連動機構４４は、バリア４０とバリア開閉用部材４２とを連結し、バリア開閉用部材４２の第１の位置でバリア４０を閉塞位置とし、第２の位置でバリア４０を開放位置とするものである。
連動機構４４は、図９に示すように、アーム５８、フレーム５２、第２ガイド片４８、トグルばね６０、６２などを含んで構成されている。
アーム５８は、前面板５０とフレーム５２との間に配設され、細長形状を呈している。
アーム５８の長手方向の一端にガイド軸５８０４が突設され、ガイド軸５８０４はフレーム５２の長孔５２３０に移動可能に挿入され、したがってアーム５８はガイド軸５８０４と長孔５２３０部分を支点として揺動することになる。
長孔５２３０は左右方向に延在しており、長孔５２３０の上下高さはガイド軸５８０４が上下にがたつくことがなく、移動できる寸法で形成されている。
また、アーム５８の長手方向の中間部には係合孔５８０２が形成され、この係合孔５８０２には、第２ガイド片４８のガイド軸４８１２がフレーム５２の長孔５２１２を介して挿入されている。
さらに、アーム５８の長手方向の他端に、図９、図１６に示すように、バリア４０のガイド軸４０１２に揺動可能に結合されている。
したがって、バリア４０とバリア開閉用部材４２とはアーム５８を介して連結されている。
また、アーム５８とバリア４０との連結箇所は、アーム５８とバリア開閉用部材４２との連結箇所よりも支点から離れた箇所に位置し、バリア開閉用部材４２の移動によりアーム５８を介して第１の位置と第２の位置との間隔よりも大きな間隔でバリア４０が閉塞位置と開放位置との間で移動される。
【００１７】
バリア開閉用部材４２を移動させると、ガイド軸４８１２および係合孔５８０２を介してアーム５８がガイド軸５８０４を中心に揺動する。
アーム５８の揺動によりガイド軸４０１２を介してバリア４０が上下に移動する。
この場合、バリア４０およびバリア開閉用部材４２は左右方向の位置を変えることなく上下に直線移動するので、アーム５８の揺動時、ガイド軸４８１２は係合孔５８０２内で移動し、ガイド軸５８０４は長孔５２３０内を移動し、バリア４０およびバリア開閉用部材４２の動きが円滑になされるように図られている。
また、バリア開閉用部材４２が移動される際に、ガイド軸４８１２が左右に延在する係合孔５８０２の縁に係合しアーム５８の揺動が円滑になされるように、言い換えると、ガイド軸４８１２が係合孔５８０２の縁に直角に係合してアーム５８の揺動が円滑になされるように、係合孔５８０２の形状が定められている。
【００１８】
２つのトグルばね６０、６２のうちの一方のトグルばね６０は、図１０、図１４に示すように、フレーム５２とバリア開閉用部材４２の後面に突設された取り付け片４２１０との間に設けられ、バリア開閉用部材４２を第１の位置または第２の位置に選択的に付勢し、バリア開閉用部材４２が第１の位置および第２の位置に位置した状態を安定させると共にバリア開閉用部材４２のがたつきの防止が図られている。
２つのトグルばね６０、６２のうちの他方のトグルばね６２は、図１０、図１４に示すように、アーム５８のガイド軸５８０４とフレーム５２との間に設けられ、長溝５２２２の延在方向と直交する方向からガイド軸５８０４が長溝５２２２の縁に当接するように付勢しており、バリア４０が閉塞位置および開放位置に位置した状態を安定させると共にバリア４０のがたつきの防止が図られている。
【００１９】
次にバリア４０の開閉動作について説明する。
（閉塞位置）
図１、図４に示すように、バリア開閉用部材４２は第１の位置に位置し、バリア４０は閉塞位置に位置する。
この状態で図１０、図１１に示すように、アーム５８はガイド軸４８１２、ガイド軸５８０４がガイド軸４０１２よりも下方に位置した傾斜した姿勢をとり、バリア４０およびバリア開閉用部材４２はトグルばね６０、６２により第１の位置および閉塞位置にそれぞれ付勢される。
（閉塞位置から開放位置）
図６に示すように、バリア開閉用部材４２を第１の位置から第２の位置に移動させると、図１２、図１３に示すように、アーム５８が揺動し、バリア開閉用部材４２よりも大きなストロークでバリア４０を下方に移動させる。
（開放位置）
図２、図５に示すように、バリア開閉用部材４２が第２の位置に位置すると、バリア４０が開放位置に位置し、撮影レンズ２６Ａが露出すると共に、バリア４０がバリア開閉用部材４２により隠される。
この状態で図１４、図１５に示すように、アーム５８はガイド軸５８０４がガイド軸４０１２よりも下方に位置し、かつ、ガイド軸５８０２がガイド軸４０１２とほぼ同じ高さとなった傾斜した姿勢をとり、バリア４０およびバリア開閉用部材４２はトグルばね６０、６２により第２の位置および開放位置にそれぞれ付勢される。
（開放位置から閉塞位置）
図６に示すように、バリア開閉用部材４２を第２の位置から第１の位置に移動させると、図１２、図１３に示すように、アーム５８が揺動し、バリア開閉用部材４２よりも大きなストロークでバリア４０を上方に移動させ、図１、図４に示すように、バリア開閉用部材４２が第１の位置に位置すると、バリア４０は閉塞位置に位置する。
【００２０】
本実施の形態によれば、バリア４０とバリア開閉用部材４２とを連動機構４４で連結し、連動機構４４により、バリア開閉用部材４２の第１の位置でバリア４０を撮影レンズ２６Ａを覆う閉塞位置とし、バリア開閉用部材４２の第２の位置でバリア４０を撮影レンズ２６Ａを露出させる開放位置とし、開放位置のバリア４０を第２の位置に位置するバリア開閉用部材４２で覆うようにした。
したがって、バリア４０およびバリア開閉用部材４２の２つの部品を筐体１２に対してレイアウトすることができるため、撮像装置１０のデザイン性の自由度を確保する上で有利となる。
すなわち、従来のように１枚のバリアを用いた場合は、閉塞位置に位置したバリアが筐体の面に対して偏位した箇所に位置せざるを得ないのに対し、本実施の形態では、図４に示すように、バリア４０が閉塞位置に位置すると共にバリア開閉用部材４２が第１の位置に位置した状態で、バリア開閉用部材４２を筐体１２の前面１４の高さの中央に位置させることができるので、筐体１２の前面１４に対してのバリア４０およびバリア開閉用部材４２のバランスをとることができ、撮像装置１０の前面のデザイン性の自由度を確保する上で有利となる。
また、筐体１２の前面１４およびバリア４０を同一の外観、加飾となるように色彩や模様などを形成すると共に、バリア開閉用部材４２を筐体１２の前面１４およびバリア４０と異なる外観、加飾となるように色彩や模様などを形成すれば、バリア開閉用部材４２が図１、図４に示す第１の位置に位置した際に、該バリア開閉用部材４２を筐体１２の前面の上下方向の中央に位置した帯状加飾品とすることができ、撮像装置１０の前面のデザイン性を高める上で有利となる。
【００２１】
また本実施の形態では、連動機構４４をアーム５８を含んで構成することにより、バリア開閉用部材４２を第１の位置と第２の位置との間で移動させる際に、バリア開閉用部材４２よりも大きなストロークでバリア４０が上下に移動するようにしたので、バリア開閉用部材４２の操作量が僅かで済み、バリア４０の操作性の向上を図る上で有利となる。
【００２３】
また、本実施の形態では、撮像装置がデジタルスチルカメラである場合について説明したが、本発明は、ビデオカメラ、カメラ付きの携帯電話機、カメラ付きのＰＤＡ、カメラ付きの音楽プレーヤーなどさまざまな撮像装置に適用可能である。
【００２４】
次にズームレバー７０について説明する。
図１７はズームレバー７０を含む要部の分解斜視図、図１８は図１７の拡大斜視図、図１９はズームレバー７０の組み立て状態を示す斜視図、図２０は筐体１２に組み込まれたズームレバー７０の説明図、図２１はズームレバー７０の正面図、図２２は図２１のＡ矢視図、図２３は図２１のＢ矢視図、図２４は図２１のＣ矢視図、図２５は図２１のＤ矢視図、図２６は図２１のＥＥ線断面図である。
図１７に示すように、上面１８は、上面用化粧板７２により構成され、上面用化粧板７２は、上面板部７２０２と、上面板部７２０２の両端に屈曲され筐体１２の側面２２、２４を構成する左右の側面板部７２０４、７２０６とを有し、上面用化粧板７２はシャーシ７４に組みつけられる。
上面板部７２０２には、電源スイッチ３０Ａを収容する電源スイッチ収容欠部７２１０と、シャッタボタン３０Ｂを収容するシャッタボタン収容欠部７２１２とが設けられ、上面板部７２０２と左側面板部７２０４とが交差する角部７６にズームレバー７０が挿入される欠部７２２０が設けられている。
【００２５】
ズームレバー７０は、筐体１２の前後方向に延在する軸心回りに揺動可能に配設されている。
ズームレバー７０は、図２１乃至図２６に示すように、基部７８と操作用凸部８０とを有している。
【００２６】
基部７８は、半円筒壁部７８Ａと、半円筒壁部７８Ａの幅方向の両端に設けられた端面壁７８Ｂとを有している。
図２２、図２６に示すように、半円筒壁部７８Ａと両端の端面壁７８Ｂとの間が空間Ｓとなっており、図２１、図２６に示すように、両端の端面壁７８Ｂには支軸挿通孔７８Ｃが同軸上に形成されている。
図１７に示すように、ズームレバー７０はこの支軸挿通孔７８Ｃの軸心を前後方向に向けて角部７６に配設されている。
そして、支軸挿通孔７８Ｃに、筐体１２の前後方向に延在する軸心を有する支軸８２が挿通され、この支軸８２の両端は筐体１２側で支持されており、この支軸８２によりズームレバー７０は筐体１２の前後方向に延在する軸心回りに揺動可能に支持されている。
また、図２１乃至図２４に示すように、半円筒壁部７８Ａの延在方向の両端には、第１押圧部７８Ｄと第２押圧部７８Ｅとが設けられている。詳細には、図２０に示すように、ズームレバー７０が組み込まれた状態で下位に位置する半円筒壁部７８Ａの延在方向の端部に第１押圧部７８Ｄが設けられ、上位に位置する半円筒壁部７８Ａの延在方向の端部に第２押圧部７８Ｅが設けられている。
【００２７】
図２０に示すように、操作用凸部８０は、基部７８から突設され指により操作される箇所であり、操作用凸部８０は欠部７２２０に収容されている。
詳細には、操作用凸部８０は半円筒壁部７８Ａの中央部から突設されており、欠部７２２０から突出する操作用凸部８０部分は、上面１８に連続する上面部８０Ａと、側面２２に連続する側面部８０Ｂとを有し、それら上面部８０Ａと側面部８０Ｂとは揺動操作しやすいように凹凸部８００２として形成されている。
【００２８】
また、図１７、図１８に示すように、基部７８に対向する筐体１２の内部の箇所に、アクチュエータに望遠側へのズーム動作（第１の動作）を行わせる第１電気接片８４Ａと、アクチュエータに広角側へのズーム動作（第２の動作）を行わせる第２電気接片８４Ｂとが設けられ、それら第１、第２電気接片８４Ａ、８４Ｂはシャーシ７４に支持されている。すなわち、第１、第２電気接片８４Ａ、８４Ｂは、それらがオン、または、オフすることによりズーム動作を行わせるための操作信号を制御部３６Ｅ（図７）に対して供給する。
そして、ズームレバー７０を下方に揺動させたズームレバー７０の第１の揺動位置で、第１押圧部７８Ｄが第１電気接片８４Ａを押圧し、ズームレバー７０を上方に揺動させたズームレバー７０の第２の揺動位置で、第２押圧部７８Ｅが第２電気接片８４Ｂを押圧するように構成されている。
第１、第２電気接片８４Ａ、８４Ｂは、ドーム状に形成された薄板ばね（ペコ板）を含んで構成されており、第１、第２押圧部７８Ｄ、７８Ｅによって薄板ばねをその厚さ方向（高さ方向に）に押圧して変形させることによりクリック感が得られるように構成されている。
さらに、図２０に示すように、ズームレバー７０の中立位置で、第１、第２電気接片８４Ａ，８４Ｂと第１、第２押圧部７８Ｄ，７８Ｅとは離間するように構成されている。
このように、ズームレバー７０の中立位置で、第１、第２電気接片８４Ａ，８４Ｂと第１、第２押圧部７８Ｄ，７８Ｅとを離間させておくことで、中立位置のズームレバー７０に物がぶつかるなどして力が掛かったとしても、第１、第２押圧部７８Ｄ，７８Ｅから第１、第２電気接片８４Ａ，８４Ｂに大きな外力が加わることを回避し、第１、第２電気接片８４Ａ，８４Ｂの耐衝撃性、耐久性の向上が図られている。
角部７６を構成する上面１８と左側面２２とは直交しており、操作用凸部８０が上面２８および左側面２２の双方に対して４５度に位置した状態がズームレバー７０の中立位置となる。
なお、第１、第２電気接片８４Ａ，８４Ｂに代えて、例えば、ボリューム（可変抵抗器）を設け、ズームレバー７０の揺動によってボリュームのブラシを動かすことでボリュームの抵抗値を変化させ、この抵抗値の変化に基づいて望遠側あるいは広角側へのズーム動作の切り替えを行うと共に、ズーム動作の速度を調節するようにするなど任意である。
【００２９】
図１９に示すように、空間Ｓ内に位置する支軸８２部分にねじりスプリング８６が巻装され、ねじりスプリング８６の両端は筐体１２側に係止されており、このねじりスプリング８６によりズームレバー７０は中立位置に常時付勢されている。なお、ズームレバー７０を中立位置に付勢するスプリングに板ばねを用いるなど任意であり、スプリング自体の構造やスプリングの配置構造には従来公知のさまざまな構成が採用可能である。
【００３０】
（ズームレバー７０の使用方法）
次に撮影時における撮像装置１０の使用方法について説明する。
予め、バリア４０は開放位置Ｐ２に位置しているものとする。
後面１６の左側部に右手の親指を当て付け、バリア開閉用部材４２の前面の左側部に中指、薬指を当て付け、下面２０の左側部に小指を当て付けることで筐体１２を把持する。
そして、ディスプレイ３２に表示される画像を見ながら撮影光学系２６を被写体に向け、人差し指の指先で操作用凸部８０を揺動することでズームレバー７０を第１の揺動位置あるいは第２の揺動位置に揺動させ、これによりズーム機構９０のズーム動作を行わせ撮影光学系２６のズーム率を所望のズーム率とする。
所望のズーム率が得られたならば、人差し指の指先を操作用凸部８０から外してシャッタボタン３０Ｂの上に動かし、シャッタボタン３０Ｂを押下することで撮影を行う。
【００３１】
このような構成によれば、ズームレバー７０が、筐体１２の上面１８および側面２２が交差する角部７６に、筐体１２の前後方向に延在する軸心回りに揺動可能に配設されている。
したがって、筐体１２が小型化されることにより筐体１２の後面１６がディスプレイ３２によって占有され後面１６にズームスイッチを配置するスペースを確保することができない場合であっても、ズームレバー７０を筐体１２に配置することができ、筐体１２の小型化を図る上で有利となることは無論のこと、ズームレバー７０を操作しつつ筐体１２をしっかりと把持することができ、また、筐体１２の側部を把持した手の指でズームレバー７０を容易に操作することができるので、撮像装置１０の操作性の向上を図る上で有利となる。
特に、角部７６に配設されたズームレバー７０が筐体１２の前後方向に延在する軸心回りに揺動する構成となっていることから、ズームレバー７０の操作によって筐体１２に作用する力はわずかなものであり、筐体１２のホールド性を高める上で有利となり、操作性の向上を図る上で有利となる。
また、ズームスイッチとシャッタボタンとの双方が押圧操作により動作するものであった場合には、ズームスイッチをシャッタボタンの近傍に設けると、両者を取り違えて誤操作するおそれがある。これに対して、本実施の形態では、ズームレバー７０は揺動操作によって動作し、シャッタボタン３０Ｂは押圧操作によって動作するものであるため、ズームレバー７０がシャッタボタン３０Ｂの近傍に設けられていても、両者を取り違えて誤操作することを効果的に防止でき操作性の向上を図る上で有利となる。
また、ズームレバー７０が筐体１２のデッドスペースである角部７６に配設されているので、筐体１２のデッドスペースを有効に活用しつつ、ズームレバー７０の軸心を中心とする揺動半径（軸心から操作用凸部８０の先端までの寸法）を大きく確保できるため、ズームレバー７０の操作性の向上を図る上で有利となる。
【００３２】
なお、アクチュエータがズーム機構９０を駆動する場合について説明したが、アクチュエータは、フォーカス機構、バリア開閉機構などのようなズーム機構９０以外を駆動する場合にも広く適用される。
【図面の簡単な説明】
【００３３】
【図１】本実施の形態の撮像装置１０のバリア４０が閉塞位置Ｐ１にある状態を示す斜視図である。
【図２】撮像装置１０のバリア４０が開放位置Ｐ２にある状態を示す斜視図である。
【図３】撮像装置１０を後方から見た斜視図である。
【図４】撮像装置１０のバリア４０が閉塞位置Ｐ１にある状態を示す正面図である。
【図５】撮像装置１０のバリア４０が開放位置Ｐ２にある状態を示す正面図である。
【図６】撮像装置１０のバリア４０が閉塞位置Ｐ１と開放位置Ｐ２との中間位置にある状態を示す正面図である。
【図７】撮像装置１０の構成を示すブロック図である。
【図８】バリア４０、バリア開閉用部材４２、移動機構４４の構成を示す分解斜視図である。
【図９】バリア４０、バリア開閉用部材４２、移動機構４４の構成を示す分解斜視図である。
【図１０】バリア４０が閉塞位置に位置した状態を後方から見た連動機構４４を示す後面図である。
【図１１】バリア４０が閉塞位置に位置した状態を後方から見たバリア４０、バリア開閉用部材４２、連動機構４４の位置関係を示す後面図である。
【図１２】バリア４０が閉塞位置と開放位置との中間位置に位置した状態を後方から見た連動機構４４を示す後面図である。
【図１３】バリア４０が閉塞位置と開放位置との中間位置に位置した状態を後方から見たバリア４０、バリア開閉用部材４２、連動機構４４の位置関係を示す後面図である。
【図１４】バリア４０が開放位置に位置した状態を後方から見た連動機構４４を示す後面図である。
【図１５】バリア４０が開放位置に位置した状態を後方から見たバリア４０、バリア開閉用部材４２、連動機構４４の位置関係を示す後面図である。
【図１６】アーム５８の平面図である。
【図１７】ズームレバー７０を含む要部の分解斜視図である。
【図１８】図１７の拡大斜視図である。
【図１９】ズームレバー７０の組み立て状態を示す斜視図である。
【図２０】筐体１２に組み込まれたズームレバー７０の説明図である。
【図２１】ズームレバー７０の正面図である。
【図２２】図２１のＡ矢視図である。
【図２３】図２１のＢ矢視図である。
【図２４】図２１のＣ矢視図である。
【図２５】図２１のＤ矢視図である。
【図２６】図２１のＥＥ線断面図である。
【符号の説明】
【００３４】
１０……撮像装置、１２……筐体、２６Ａ……撮影レンズ、４０……バリア、４２……バリア開閉用部材、４４……連動機構、５２……フレーム、５８……アーム、６０……一方のトグルばね、６２……他方のトグルばね
【図１】
0004529095.tif 000002
【図２】
0004529095.tif 000003
【図３】
0004529095.tif 000004
【図４】
0004529095.tif 000005
【図５】
0004529095.tif 000006
【図６】
0004529095.tif 000007
【図７】
0004529095.tif 000008
【図８】
0004529095.tif 000009
【図９】
0004529095.tif 000010
【図１０】
0004529095.tif 000011
【図１１】
0004529095.tif 000012
【図１２】
0004529095.tif 000013
【図１３】
0004529095.tif 000014
【図１４】
0004529095.tif 000015
【図１５】
0004529095.tif 000016
【図１６】
0004529095.tif 000017
【図１７】
0004529095.tif 000018
【図１８】
0004529095.tif 000019
【図１９】
0004529095.tif 000020
【図２０】
0004529095.tif 000021
【図２１】
0004529095.tif 000022
【図２２】
0004529095.tif 000023
【図２３】
0004529095.tif 000024
【図２４】
0004529095.tif 000025
【図２５】
0004529095.tif 000026
【図２６】
0004529095.tif 000027